(57)【要約】【課題】接合部分に十分な摩擦力を発生させ、十分な締付力を確保できて、支柱と踏桟とを確実強固に接合固定でき、しかも踏桟や支柱が破損した時等にそれらの部材の交換が可能な、脚立等における支柱と踏桟との接合構造を提供する。【解決手段】脚立等における断面略コ字状型材からなる支柱１の左右側壁１ａ，１ｂ間に、角筒状型材又は断面略コ字状型材からなる踏桟２の端部を嵌合挿入して、支柱１と踏桟２とを接合する接合構造において、踏桟２の端部には支柱１の左右両側壁１ａ，１ｂに隣接する左右両側壁２ａ，２ｂの夫々内面の対向位置に、雌ねじ部材４を一体的に取り付け、支柱１の各側壁１ａ，１ｂからこれに隣接する踏桟２の側壁２ａ，２ｂを貫通して前記雌ねじ部材４にボルト５を螺入し、締結してなる。【選択図】図２
2006144360.tif 000002
【特許請求の範囲】
【請求項１】
脚立等における断面略コ字状型材からなる支柱の左右側壁間に、角筒状型材又は断面略コ字状型材からなる踏桟の端部を嵌合挿入して、支柱と踏桟とを接合する接合構造において、踏桟の端部には支柱の左右両側壁に隣接する左右両側壁の夫々内面の対向位置に、雌ねじ部材を一体的に取り付け、支柱の各側壁からこれに隣接する踏桟の側壁を貫通して前記雌ねじ部材にボルトを螺入し、締結するようにしてなる脚立等における支柱と踏桟との接合構造。
【請求項２】
支柱の左右両側壁に当接する踏桟端部の左右両側壁の夫々内面対向位置に、ナット状の雌ねじ部材をカシメ加工により取り付けてなる請求項１に記載の脚立等における支柱と踏桟との接合構造。
【発明の詳細な説明】
【技術分野】
【０００１】
本発明は、脚立、踏台、梯子、作業台等における支柱と踏桟との接合構造に関するものである。
【背景技術】
【０００２】
例えば作業台の両端部にある梯子は、図１に示すように、一対の支柱１，１と、両支柱１，１間に横架される複数の踏桟２とによって構成され、各支柱１は、断面略コ字状型材からなるもので、この支柱１の左右側壁間に、角筒状型材又は断面略コ字状型材からなる踏桟２の端部を嵌合挿入して、この踏桟２の端部をボルト等により接合するようになっている。
【０００３】
而して、従来における支柱と踏桟との接合構造として、特許公報等の公知文献を具体的に挙げることはできないが、従来より採用されている接合構造には、図７及び図８に示すようなものがある。図７の(a) ，(b) はタッピングビス２１による接合構造を示し、(a)
は側面図、(b) は(a) のロ−ロ線断面図で、断面略コ字状型材から支柱１の左右側壁１ａ，１ｂ間に、角筒状型材からなる踏桟２の端部を嵌合挿入し、支柱１の背面側壁１ｃからタッピングビス２１を、踏桟２内部のビスポケット２２にねじ込んで、支柱１と踏桟２とを接合するようにしたものである。図８はリベット２３による接合構造を示したもので、断面略コ字状型材から支柱１の左右側壁１ａ，１ｂ間に、角筒状型材からなる踏桟２の端部を嵌合挿入し、支柱１の左右各側壁１ａ，１ｂとこれに隣接する踏桟２の側壁２ａ，２ｂとを夫々リベット２３により結合して、支柱１と踏桟２とを接合するようにしたものである。その他に、支柱の左右側壁間に踏桟の端部を嵌合挿入した状態で支柱の一方の側壁から踏桟の両側壁及び支柱の他方の側壁に亘って通しボルトを貫通させ、ナットで締結するようにしたものもある。尚、支柱１を形成する断面略コ字状型材は、図７及び図８には背面壁１ｃが一重壁からなるものしか示していないが、この背面壁１ｃが内側壁と外側壁の二重壁からなるものもある。
【発明の開示】
【発明が解決しようとする課題】
【０００４】
上記従来の接合構造において、タッピングビス２１による場合は、接合部分に十分な摩擦力を発生させることができず、ビス２１の緩みを生じ易い。また、リベット２３や通しボルトによる場合は、それらが貫通する踏桟の側壁の剛性が十分でないと、接合部分の締付力が弱く、十分な摩擦力を発生させることができず、確実な固定ができない。また、リベット２３による接合構造では、リベット２３の抜き取りが困難であるため、踏桟２又は支柱１の交換が必要な場合に不適である。
【０００５】
本発明は、上記の課題に鑑み、接合部分に十分な摩擦力を発生させることができると共に十分な締付力を確保できて、支柱と踏桟とを確実強固に接合固定でき、しかも踏桟や支柱が破損した時等にそれらの部材の交換が可能となる脚立等における支柱と踏桟との接合構造を提供することを目的とする。
【課題を解決するための手段】
【０００６】
上記課題を解決するための手段を、後述する実施形態の参照符号を付して説明すると、請求項１に係る発明は、脚立等における断面略コ字状型材からなる支柱１の左右側壁１ａ，１ｂ間に、角筒状型材又は断面略コ字状型材からなる踏桟２の端部を嵌合挿入して、支柱１と踏桟２とを接合する接合構造において、踏桟２の端部には支柱１の左右両側壁１ａ，１ｂに隣接する左右両側壁２ａ，２ｂの夫々内面の対向位置に、雌ねじ部材４を一体的に取り付け、支柱１の各側壁１ａ，１ｂからこれに隣接する踏桟２の側壁２ａ，２ｂを貫通して前記雌ねじ部材４にボルト５を螺入し、締結するようにしてなることを特徴とする。尚、支柱１を形成する断面略コ字状型材は、左右側壁１ａ，１ｂと一重壁又は内外の二重壁からなる背面壁１ｃとによって略コ字状に形成されるものとする。
【０００７】
請求項２は、請求項１に記載の脚立等における支柱と踏桟との接合構造において、支柱１の左右両側壁１ａ，１ｂに隣接する踏桟２端部の左右両側壁２ａ，２ｂの夫々内面対向位置に、ナット状の雌ねじ部材４をカシメ加工により取り付けてなることを特徴としている。
【発明の効果】
【０００８】
上記解決手段による発明の効果を、後述する実施形態の参照符号を付して説明すると、請求項１に係る発明によれば、支柱１の左右各側壁１ａ，１ｂとこれに隣接する踏桟２の左右各側壁２ａ，２ｂとを直接、ボルト５によって締結するようにしたから、支柱１の各側壁１ａ，１ｂとこれに隣接する踏桟２の各側壁２ａ，２ｂとの間に十分な摩擦力を生じさせて、支柱１と踏桟２とを確実強固に接合固定させることができる。また、ボルト５による締結であるから、踏桟２が破損して取り替えを必要とする時は、新しいものと簡単容易に取り替えることができる。
【０００９】
請求項２に係る発明によれば、ナット状の雌ねじ部材４をカシメ加工により取り付けることによって、踏桟２が中空筒状型材の場合であっても、その外側から雌ねじ部材４を簡単に取り付けることができる。
【発明を実施するための最良の形態】
【００１０】
以下に本発明の好適実施形態を図面に基づいて説明すると、図１は作業台の側面図で、作業台の両端部にある梯子状脚体Ｈを示し、この梯子状脚体Ｈは、一対の支柱１，１と、両支柱１，１間に複数段に横架される複数の踏桟２とから構成される。図２の(a) は図１の矢印イで示す部分の拡大断面図で、本発明に係る支柱１と踏桟２との接合構造の一実施形態を示し、(b) は(a) のロ−ロ線断面図である。
【００１１】
これらの図から分かるように、各支柱１は、左右両側壁１ａ，１ｂと背面壁１ｃとによって断面略コ字状に形成されるアルミ押出型材からなるもので、この支柱１の左右両側壁１ａ，１ｂ間に、角筒状のアルミ押出型材からなる踏桟２の端部が嵌合挿入され、この踏桟２の端部が支柱１とボルト接合されるようになっている。各踏桟２は、図２の(b) 示すように、支柱１の左右側壁１ａ，１ｂに夫々隣接する左右側壁２ａ，２ｂと、踏面となる傾斜状上壁２ｃと下壁２ｄとによって角筒状に形成されるアルミ押出型材からなる。尚、支柱１を形成する断面略コ字状型材は、この実施形態には背面壁１ｃが一重壁からなるものしか示していないが、この背面壁１ｃが内側壁と外側壁の二重壁からなる型材も含むものとする。
【００１２】
上記作業台の梯子状脚体Ｈにおける支柱１と踏桟２との接合構造について説明すれば、図２の(a) ，(b) から分かるように、踏桟２の端部には支柱１の左右両側壁１ａ，１ｂに隣接する左右両側壁２ａ，２ｂの夫々内面の対向位置に、ナット状雌ねじ部材４，４をカシメ加工により取り付け、支柱１の各側壁１ａ，１ｂからこれに隣接する踏桟２の各側壁２ａ，２ｂを貫通して前記雌ねじ部材４にボルト５を螺入し、締結することにより、支柱１と踏桟２とを接合するようにしたものである。
【００１３】
上記接合構造について更に詳しく説明すると、先ず図３の(a) に示すように、支柱１の左右両側壁１ａ，１ｂに隣接する踏桟２の左右両側壁２ａ，２ｂにカシメ用の下孔６，６を夫々穿孔し、各下孔６にナット状雌ねじ部材４をカシメ加工して一体的に取り付ける。このカシメ加工は、図４の(a) 〜(c) に示すように、ナット状雌ねじ部材４の原形材４Ｍを下孔６にその外側から挿入し、カシメ加工機（図示せず）によって(b) に示す状態から(c) に示す状態となるようにカシメ加工を行う。
【００１４】
こうして踏桟２の左右両側壁２ａ，２ｂに夫々ナット状の雌ねじ部材４，４をカシメ加工して取り付けた後、図３の(b) に示すように踏桟２の端部を支柱１の左右両側壁１ａ，１ｂ間に嵌合挿入し、そして同図の(c) に示すように支柱１の側壁１ａ，１ｂに設けてあるボルト挿通孔７，７と踏桟２に取り付けた雌ねじ部材４，４とを夫々同軸上に位置させた状態で、支柱１の各ボルト挿通孔７から踏桟２の雌ねじ部材４にボルト５を挿通させてねじ込み、締め付けることによって、図２の(a) に示すように支柱１と踏桟２とを一体的に接合することができる。
【００１５】
踏桟２の左右両側壁２ａ，２ｂに夫々ナット状の雌ねじ部材４，４を取り付けるのに、雌ねじ部材４，４を左右両側壁２ａ，２ｂに対し溶接により取り付けることもできるが、この実施形態のようなカシメ加工によると、踏桟２が図２の(b) に示すように左右両側壁２ａ，２ｂと上壁２ｃと底壁２ｄとで形成されるような中空角筒状型材からなるものでも、また踏桟２が溶接が困難なアルミ押出型材からなる場合にも、各側壁２ａ，２ｂの外側からナット状雌ねじ部材４を簡単に取り付けることができる。
【００１６】
上記のような支柱１と踏桟２との接合構造によれば、支柱１の左右各側壁１ａ，１ｂと踏桟２の左右各側壁２ａ，２ｂとを直接ボルト５によって締結するようにしたから、支柱１の各側壁１ａ，１ｂとこれに隣接する踏桟２の各側壁２ａ，２ｂとの間に十分な摩擦力を生じさせて、支柱１と踏桟２とを確実強固に接合固定させることができる。そしてまた、この接合構造によれば、踏桟２や支柱１が破損して取り替えを必要とする時は、新しいものと容易に取り替えることができる。
【００１７】
踏桟２の左右側壁２ａ，２ｂに雌ねじ部材をカシメ加工して取り付ける方法としては、図４に示すような方法の他に、図６に示す方法がある。即ち、図５の(a) ，(b) に示すように内端面側にカシメ用スプライン部４ａとガイド部４ｂを同軸状に突設したナット状雌ねじ部材４を、図６の(a) 〜(c) に示すように、踏桟２の側壁２ａ，２ｂに設けたカシメ用下孔６に、パンチ８及び下型９の使用によりカシメ加工して取り付けるようにしたものである。この方法によれば、ナット状雌ねじ部材４を踏桟２の左右側壁２ａ，２ｂに一層簡単に取り付けることができる。
【図面の簡単な説明】
【００１８】
【図１】本発明に係る支柱と踏桟との接合構造を有する作業台の側面図である。
【図２】(a) は図１の矢印イで示す部分の拡大断面図で、本発明に係る支柱と踏桟との接合構造の一実施形態を示し、(b) は(a) のロ−ロ線断面図である。
【図３】本発明に係る支柱と踏桟との他の接合構造を示すもので、(a) は踏桟の縦断面図、(b) は雌ねじ部材を取り付けた踏桟の端部を支柱に嵌合挿入している状態を示す縦断面図、(c) は踏桟の端部を支柱に嵌合した後、雌ねじ部材にボルトを螺入している状態を示す縦断面図である。
【図４】(a) 〜(c) は踏桟の側壁に雌ねじ部材をカシメ加工によって取り付ける工程を示す説明断面図である。
【図５】(a) は他のカシメ加工によって取り付けられるナット状雌ねじ部材を示す正面図、(b) は半断面側面図である。
【図６】図５に示すナット状雌ねじ部材を踏桟の側壁にカシメ加工によって取り付ける工程を示す説明図である。
【図７】タッピングビスによる従来の接合構造を示すもので、(a) は正面図、(b) は(a) のロ−ロ線断面図である。
【図８】リベットによる従来の接合構造を示すもので、図５の(b) と同様な断面図である。
【符号の説明】
【００１９】
１              支柱
１ａ，１ｂ      支柱の側壁
２              踏桟
２ａ，２ｂ      踏桟の側壁
４              ナット状雌ねじ部材
５              ボルト
６              下孔
７              ボルト挿通孔
【図１】
2006144360.tif 000003
【図２】
2006144360.tif 000004
【図３】
2006144360.tif 000005
【図４】
2006144360.tif 000006
【図５】
2006144360.tif 000007
【図６】
2006144360.tif 000008
【図７】
2006144360.tif 000009
【図８】
2006144360.tif 000010